(57)【要約】【課題】  異なるＰＣ間のデータ移送に際して、記憶デバイスに一時記憶されたデータを自動的に消去することができ、データの漏洩防止をはかる。【解決手段】  外部機器に接続可能な端子群１３を有し、異なる外部機器間でデータを移送するためのデータ移送用リムーバブルメディアであって、端子群１３に接続され、データを保持するための不揮発性記憶デバイス１１と、不揮発性記憶デバイス１１に記憶されたデータを全消去するデータ消去回路２１と、データ消去回路１２を駆動するための電力を蓄える電源回路２２と、電源回路２２からデータ消去回路２１への電力供給をオン／オフするためのスイッチ回路２３とを備えた。【選択図】      図１
2009003785.tif 000002
【特許請求の範囲】
【請求項１】
外部機器に接続可能な端子群と、
前記端子群に接続され、データを保持するための不揮発性記憶デバイスと、
前記不揮発性記憶デバイスに記憶されたデータを全消去するデータ消去回路と、
前記データ消去回路を駆動するための電力を蓄える電源回路と、
前記電源回路から前記データ消去回路へ電力を供給するオン状態と供給しないオフ状態を切り換えるためのスイッチ回路と、
を具備したことを特徴とするデータ移送用リムーバブルメディア。
【請求項２】
前記スイッチ回路は、前記端子群が前記外部機器に接続された状態でオフ状態とし、前記外部機器から外された状態では、ユーザーが前記スイッチ回路をオフ状態に操作している間はオフ状態とし、ユーザーが操作を行わない間はオン状態とすることを特徴とする請求項１記載のデータ移送用リムーバブルメディア。
【請求項３】
前記スイッチ回路は、前記端子群が前記外部機器に接続された状態でオフ状態とし、前記外部機器から外された状態でオン状態とする第１のスイッチと、ユーザーが押圧している間だけオフ状態とする押しボタン式の第２のスイッチと、を直列接続したものであることを特徴とする請求項２記載のデータ移送用リムーバブルメディア。
【請求項４】
前記スイッチ回路は、前記端子群が前記外部機器に接続された状態でオフ状態とし、前記外部機器から外されて一定時間経過したらオン状態とすることを特徴とする請求項１記載のデータ移送用リムーバブルメディア。
【請求項５】
前記不揮発性記憶デバイスは、電気的書き換え可能なＥＥＰＲＯＭであることを特徴とする請求項１記載のデータ移送用リムーバブルメディア。
【請求項６】
外部機器に接続可能な端子群と、
前記端子群に接続され、データを保持するための揮発性記憶デバイスと、
前記揮発性記憶デバイスに記憶されたデータを維持するための電力を蓄える電源回路と、
前記電源回路から前記揮発性記憶デバイスへ電力を供給するオン状態と電力を供給しないオフ状態を切り換えるためのスイッチ回路と、
を具備したことを特徴とするデータ移送用リムーバブルメディア。
【請求項７】
前記スイッチ回路は、前記端子群が前記外部機器に接続された状態でオン状態とし、前記外部機器から外された状態では、ユーザーが操作している間はオン状態とし、ユーザーが操作していない状態でオフ状態とすることを特徴とする請求項６記載のデータ移送用リムーバブルメディア。
【請求項８】
前記スイッチ回路は、前記端子群が前記外部機器に接続された状態でオン状態とし、前記外部機器から外された状態でオフ状態とする第１のスイッチと、ユーザーが押圧している間はオン状態とする押しボタン式の第２のスイッチと、を並列接続したものであることを特徴とする請求項６記載のデータ移送用リムーバブルメディア。
【請求項９】
前記スイッチ回路は、前記端子群が前記外部機器に接続された状態でオン状態とし、前記外部機器から外されて一定時間経過したらオフ状態とすることを特徴とする請求項６記載のデータ移送用リムーバブルメディア。
【請求項１０】
前記揮発性記憶デバイスは、ＤＲＡＭ又はＳＲＡＭであることを特徴とする請求項６記載のデータ移送用リムーバブルメディア。
【請求項１１】
前記電源回路はコンデンサであり、前記端子群が前記外部機器に接続された状態で充電されるものであることを特徴とする請求項１又は７記載のデータ移送用リムーバブルメディア。
【請求項１２】
不揮発性リムーバブルメディアに接続可能な第１の端子群と外部機器に接続可能な第２の端子群を有し、不揮発性リムーバブルメディアをデータ移送用に供するためのリムーバブルメディア用コンバータであって、
前記第１の端子群と前記第２の端子群との間に挿入され、前記不揮発性リムーバブルメディアと前記外部機器とを接続するためのインターフェイス回路と、
前記第１の端子群を介して前記不揮発性リムーバブルメディアに接続され、前記リムーバブルメディアのデータを全消去するデータ消去回路と、
前記データ消去回路を駆動するための電力を蓄える電源回路と、
前記電源回路から前記データ消去回路へ電力を供給するオン状態と電力を供給しないオフ状態を切り換えるためのスイッチ回路と、
を具備したことを特徴とするリムーバブルメディア用コンバータ。
【請求項１３】
前記スイッチ回路は、前記第２の端子群が前記外部機器に接続された状態でオフ状態とし、前記外部機器から外された状態では、ユーザーが操作している間はオフ状態とし、ユーザーが操作していない間はオン状態とすることを特徴とする請求項１２記載のリムーバブルメディア用コンバータ。
【請求項１４】
前記スイッチ回路は、前記第２の端子群が前記外部機器に接続された状態でオフ状態とし、前記外部機器から外された状態でオン状態とする第１のスイッチと、ユーザーが押圧している間はオフ状態とする押しボタン式の第２のスイッチと、を直列接続したものであることを特徴とする請求項１３記載のリムーバブルメディア用コンバータ。
【請求項１５】
前記スイッチ回路は、前記第２の端子群が前記外部機器に接続された状態でオフ状態とし、前記外部機器から外されて一定時間経過したらオン状態とすることを特徴とする請求項１２記載のリムーバブルメディア用コンバータ。
【請求項１６】
前記電源回路はコンデンサであり、前記第２の端子群が前記外部機器に接続された状態で充電されるものであることを特徴とする請求項１２記載のリムーバブルメディア用コンバータ。
【発明の詳細な説明】
【技術分野】
【０００１】
本発明は、異なる外部機器間で、大量のデータの受け渡しを行うためのデータ移送用リムーバブルメディアに係わり、特に記憶内容を消去する機能を備えたデータ移送用リムーバブルメディアに関する。また、汎用の不揮発性リムーバブルメディアにその記憶内容を消去する機能を備えさせるリムーバブルメディア用コンバータに関する。
【背景技術】
【０００２】
ＵＳＢメモリやＳＤメモリカードに代表される大容量リムーバブルメディアは、コンパクトであり大量のデータの受け渡しに活用されることが多い反面、携帯性の高さゆえに紛失などの事故が起こりやすい。この場合、メディアの紛失そのものよりも、保存されたデータの紛失・遺失が大きな問題となる。一部のメディアでは暗号化機能を併用することで情報漏洩のリスクを下げているが、データがメディア上に存在する以上、完全に漏洩を防ぐことは不可能であるといえる。
【０００３】
データの移送だけを考慮した場合、ＰＣ（personal computer）から一旦メディアにデータを移し、それを他のＰＣなどに移し変えた後にユーザーがメディア上のデータを消去すれば、メディアの紛失による情報漏洩の危険性はなくなることになる。しかしながら、この対策はヒューマンエラーの可能性が付きまとう。その他にも、指紋認証機能を備えたＵＳＢメモリなども発売されているが、これも物理的にデータが存在する以上、完全に漏洩を防ぐことは不可能である。
【特許文献１】特開２００７−１１５１０３号公報
【発明の開示】
【発明が解決しようとする課題】
【０００４】
本発明は、上記事情を考慮してなされたもので、その目的とするところは、異なるＰＣ間などのデータ移送に際して、記憶デバイスに記憶されたデータを自動的に消去することができ、データの漏洩防止をはかり得るデータ移送用リムーバブルメディアを提供することにある。
【課題を解決するための手段】
【０００５】
上記課題を解決するために本発明は、次のような構成を採用している。
【０００６】
即ち、本発明の一態様は、外部機器に接続可能な端子群を有し、異なる外部機器間でデータを移送するためのデータ移送用リムーバブルメディアであって、前記端子群に接続され、データを保持するための不揮発性記憶デバイスと、前記不揮発性記憶デバイスに記憶されたデータを全消去するデータ消去回路と、前記データ消去回路を駆動するための電力を蓄える電源回路と、前記電源回路から前記データ消去回路へ電力を供給するオン状態と供給しないオフ状態を切り換えるためのスイッチ回路と、を具備したことを特徴とする。
【０００７】
また、本発明の別の一態様は、外部機器に接続可能な端子群を有し、異なる外部機器間でデータを移送するためのデータ移送用リムーバブルメディアであって、前記端子群に接続され、データを保持するための揮発性記憶デバイスと、前記揮発性記憶デバイスに記憶されたデータを維持するための電力を蓄える電源回路と、前記電源回路から前記揮発性記憶デバイスへ電力を供給するオン状態と電力を供給しないオフ状態を切り換えるためのスイッチ回路と、を具備したことを特徴とする。
【０００８】
また、本発明の更に別の一態様は、不揮発性リムーバブルメディアに接続可能な第１の端子群と外部機器に接続可能な第２の端子群を有し、不揮発性リムーバブルメディアをデータ移送用に供するためのリムーバブルメディア用コンバータであって、前記第１の端子群と前記第２の端子群との間に挿入され、前記不揮発性リムーバブルメディアと前記外部機器とを接続するためのインターフェイス回路と、前記第１の端子群を介して前記不揮発性リムーバブルメディアに接続され、前記リムーバブルメディアのデータを全消去するデータ消去回路と、前記データ消去回路を駆動するための電力を蓄える電源回路と、前記電源回路から前記データ消去回路へ電力を供給するオン状態と電力を供給しないオフ状態を切り換えるためのスイッチ回路と、を具備したことを特徴とする。
【発明の効果】
【０００９】
本発明によれば、不揮発性記憶デバイスに記憶されたデータを全消去するためのデータ消去回路を設け、データの移送後にこの回路によりデータの強制的消去を行うことにより、データの移送という目的を達成した後に自動的に記憶内容を消去することができる。また、揮発性記憶デバイスに対してはデータの移送後に電源供給を停止することにより、データの移送という目的を達成した後に自動的に記憶内容を消去することができる。
【００１０】
従って、異なるＰＣ間などのデータ移送に際して、記憶デバイスに記憶されたデータを自動的に消去することができ、データの漏洩防止をはかることができる。
【発明を実施するための最良の形態】
【００１１】
以下、本発明の詳細を図示の実施形態によって説明する。
【００１２】
（第１の実施形態）
図１は、本発明の第１の実施形態に係わるデータ移送用リムーバブルメディアの概略を示す回路構成図である。
【００１３】
本実施形態は、ＰＣのＵＳＢ端子に接続される、いわゆるＵＳＢメモリとして使用されるものであり、メモリとしては電気的書き換え可能なＥＥＰＲＯＭ等の不揮発性記憶デバイスを使用している。
【００１４】
筐体１０内に、不揮発性記憶デバイスとしてのＮＡＮＤ型フラッシュメモリセル１１とメモリコントローラ１２が収容されている。メモリコントローラ１２は、フラッシュメモリセル１１のデータ書き込み，読み出し，消去などを制御するものであり、端子群１３に接続されている。端子群１３は、ＰＣのＵＳＢ端子に挿入して接続してされるもので、電源端子，接地端子、２つの差動信号端子の４つの端子から構成されている。
【００１５】
ここまでの基本構成は、一般的なＵＳＢメモリと同様である。本実施形態では、これらに加え、消去回路２１、コンデンサ（電源回路）２２、スイッチ回路２３が設けられている。
【００１６】
消去回路２１は、通常のフラッシュメモリセル消去回路と同様であり、フラッシュメモリセル１１の記憶データを一括して全消去するものである。コンデンサ２２は、消去回路２１を駆動するための電源として機能するものであり、ＰＣに接続された状態で端子群１３からＶccが与えられて充電されるようになっている。
【００１７】
スイッチ回路２３は、消去回路２１とコンデンサ２２との間に挿入され、消去回路２１への電力供給をオン／オフするものである。スイッチ回路２３は、端子群１３がＰＣに接続された状態でオフとなり、ＰＣから外された状態ではオンとなる。但し、ＰＣから外された状態であっても、ユーザーが明示的に操作している間はオフとなるようしている。
【００１８】
スイッチ回路２３の具体的構成例として、例えば図２に示すように、２つのスイッチ２３ａ，２３ｂの直列接続が考えられる。第１のスイッチ２３ａは、端子群１３がＰＣのＵＳＢ端子に挿入されて接続された状態でオフし、ＰＣから外された状態でオンするものであり、例えば機械的なスライドスイッチを用いることができる。第２のスイッチ２３ｂは、ユーザーが押圧している間だけオフする常閉型の押しボタン式スイッチである。
【００１９】
この押しボタン式スイッチ２３ｂは、図３に示すように、データ移送用リムーバブルメディアの筐体１０の中央部に押圧部が位置するように設け、ユーザーがデータ移送用リムーバブルメディアを握っている時にユーザーの指に当たるようにする。これにより、ユーザーは余り意識する必要なく、ユーザーがデータ移送用リムーバブルメディアを握っている限り、スイッチ２３ｂがオフすることになる。
【００２０】
次に、本実施形態のデータ移送用リムーバブルメディアの使用方法について説明する。
【００２１】
まず、端子群１３をデータ移送元である第１のＰＣのＵＳＢ端子に挿入して接続すると、スイッチ回路２３はオフとなり、消去回路２１には電源は供給されない。この状態ではフラッシュメモリセル１１とコンデンサへ２２の電力供給と、フラッシュメモリセル１１に対するデータの書き込み／読み出しが可能になる。従って、フラッシュメモリセル１１は通常のＵＳＢメモリと同様に動作することになる。この状態で、第１のＰＣ内の必要データを読み出し、フラッシュメモリセル１１に書き込む。
【００２２】
次に、このままの状態で端子群１３を第１のＰＣのＵＳＢ端子から引き抜くと、スイッチ回路２３がオンとなり、コンデンサ２２に蓄えられた電荷により消去回路２１が駆動されて、フラッシュメモリセル１１に記憶されたデータが全て消去される。
【００２３】
ここで、ユーザーが筐体１０に設けられたスイッチ２３ｂを押圧した状態で、端子群１３を第１のＰＣのＵＳＢ端子から引き抜くと、スイッチ回路２３がオフとなるため、消去回路２１に電源は供給されず、フラッシュメモリセル１１の記憶データが消去されることはない。この状態を維持したまま、端子群１３をデータ移送先である第２のＰＣのＵＳＢ端子に挿入して接続すると、スイッチ２３ａがオフする。このため、ユーザーがスイッチ２３ｂの押圧を解除しても、消去回路２１に電源は供給されず、フラッシュメモリセル１１の記憶データが消去されることはない。
【００２４】
この状態で、フラッシュメモリセル１１に記憶されたデータを第２のＰＣ側にコピーする。コピーが終了したら、端子群１３を第２のＰＣのＵＳＢ端子から引き抜くことにより、スイッチ２３ａがオンとなる。このとき、スイッチ２３ｂを積極的に押圧しなければ、スイッチ２３ｂもオンであるため、消去回路２１に電源が供給され、フラッシュメモリセル１１の記憶データが全消去されることになる。即ち、データ移行が終了したら、フラッシュメモリセル１１内のデータは自動的に消去されることになる。
【００２５】
このように本実施形態によれば、フラッシュメモリセル１１に記憶されたデータを全消去するためのデータ消去回路２１を設け、データの移送後にこの回路２１によりデータの強制的消去を行うことにより、データの移送という目的を達成した後に自動的に記憶内容を消去することができる。従って、データ移送という用途に限った場合には、メディア上にデータを残さないような運用が可能になり、情報漏洩の危険性が無くなる。
【００２６】
また、ユーザーは、ＰＣ間で本メディアを移動させる際に、スイッチ２３ｂを押圧するのみで良く、複雑な操作を要することもない。さらに、ユーザーが本メディアから手を離せば、フラッシュメモリセル１１の記憶データは自動的に消去されるため、誤ってメディア内にデータが残る等の不都合はなく、情報漏洩を確実に防止することができる。
【００２７】
（第２の実施形態）
図４は、本発明の第２の実施形態に係わるデータ移送用リムーバブルメディアの概略を示す回路構成図である。
【００２８】
本実施形態は、ＰＣのＵＳＢ端子に接続される、いわゆるＵＳＢメモリとして使用されるものであり、メモリとしてＤＲＡＭ等の揮発性記憶デバイスを使用している。
【００２９】
筐体３０内に、揮発性記憶デバイスとしてのＤＲＡＭセル３１とメモリコントローラ３２が収容されている。メモリコントローラ３２は、ＤＲＡＭセル３１のデータ書き込み，読み出し，消去などを制御するものであり、端子群３３に接続されている。端子群３３は、第１の実施形態と同様に、ＰＣのＵＳＢ端子に挿入して接続してされるもので、電源端子，接地端子、２つの信号端子の４つの端子から構成されている。
【００３０】
また、筐体３０内には、電源回路としてのコンデンサ４２及びスイッチ回路４３が設けられている。コンデンサ４２は、ＤＲＡＭセル３１のデータを保持するための電源として機能するものであり、ＰＣに接続された状態で端子群３３からＶccが与えられて充電されるようになっている。
【００３１】
スイッチ回路４３は、端子群３３のＶcc端子とコンデンサ４２との間に挿入され、コンデンサ４２からＤＲＡＭセル３１への電力供給をオン／オフするものである。このスイッチ回路４３は、端子群３３がＰＣのＵＳＢ端子に接続された状態でオンとなり、ＰＣのＵＳＢ端子から外された状態ではオフとなる。但し、ＰＣから外された状態であっても、ユーザーが明示的に操作している間はオンとなるようしている。
【００３２】
スイッチ回路４３の具体的構成例として、例えば図５に示すように、２つのスイッチ４３ａ，４３ｂの並列接続が考えられる。第１のスイッチ４３ａは、端子群３３がＰＣのＵＳＢ端子に挿入されて接続された状態でオンし、ＰＣから外された状態でオフするものであり、例えば機械的なスライドスイッチを用いることができる。第２のスイッチ４３ｂは、ユーザーが押圧している間だけオンする常開型の押しボタン式スイッチである。
【００３３】
次に、本実施形態のデータ移送用リムーバブルメディアの使用方法について説明する。
【００３４】
まず、端子群３３を第１のＰＣのＵＳＢ端子に挿入して接続すると、スイッチ回路４３はオンとなる。この状態ではＤＲＡＭセル３１とコンデンサ４２への電力供給と、ＤＲＡＭセル４１に対するデータの書き込み／読み出しが可能になる。この状態で、第１のＰＣ内の必要データを読み出し、ＤＲＡＭセル３１に書き込む。
【００３５】
次に、このままの状態で端子群３３を第１のＰＣのＵＳＢ端子から引き抜くと、スイッチ回路４３がオフとなり、ＤＲＡＭセル３１への電源供給が無くなるために、ＤＲＡＭセル３１に記憶されたデータが全て消去される。
【００３６】
ここで、ユーザーが筐体３０に設けられたスイッチ４３ｂを押圧した状態で、端子群３３を第１のＰＣのＵＳＢ端子から引き抜くと、スイッチ回路４３がオンとなるため、コンデンサ４２に蓄えられた電荷がＤＲＡＭセル３１に供給され、ＤＲＡＭセル３１の記憶データが消去されることはない。この状態を維持したまま、端子群３３を第２のＰＣのＵＳＢ端子に挿入して接続すると、ＤＲＡＭセル３１には端子群３３から電源が供給される。このため、ユーザーがスイッチ４３ｂの押圧を解除しても、ＤＲＡＭセル３１にはＰＣ側から電源が供給されることになり、ＤＲＡＭセル３１の記憶データが消去されることはない。また、端子群３３のＵＳＢ端子への挿入によりスイッチ４３ａがオンするため、コンデンサ４２は充電される。
【００３７】
この状態で、ＤＲＡＭセル３１に記憶されたデータを第２のＰＣ側にコピーする。コピーが終了したら、筐体３０を第２のＰＣから引き抜くことにより、スイッチ４３ａがオフとなる。このとき、スイッチ４３ｂを積極的に押圧しなければ、スイッチ４３ｂもオフであるため、ＤＲＡＭセル３１への電源供給が停止され、ＤＲＡＭセル３１の記憶データが全消去されることになる。即ち、データ移行が終了したら、ＤＲＡＭセル３１内のデータは自動的に消去されることになる。
【００３８】
このように本実施形態によれば、スイッチ回路４３を設けて、ＰＣから他のＰＣへ移行する時のみ、ＤＲＡＭセル３１への電源供給を可能としているので、データの移送後にＤＲＡＭセル３１の記憶データを自動的に消去することができる。従って、データの移送という目的を達成した後に自動的に記憶内容を消去することができ、第１の実施形態と同様の効果が得られる。
【００３９】
（第３の実施形態）
図６は、本発明の第３の実施形態に係わるリムーバブルメディア用コンバータの概略を示す回路構成図である。なお、図１と同一部分には同一符号を付して、その詳しい説明は省略する。
【００４０】
本実施形態は、一般的なＵＳＢメモリに記憶内容を消去する機能を持たせるものであり、ＵＳＢメモリを装着した状態で、ＰＣのＵＳＢ端子に接続されるものである。
【００４１】
筐体５０内に、ＵＳＢメモリ６０に接続される第１の端子群５１とＰＣのＵＳＢ端子に接続される第２の端子群５２が設けられている。リムーバブルメディア６０と接続する端子群５１は、通常のＰＣに備え付けられているＵＳＢ端子と同様のものである。端子群５２は、通常のＵＳＢメモリに用いられている端子と同様のものである。
【００４２】
端子群５１，５２の間には、インターフェイス回路（Ｉ／Ｆ）５３が設けられている。このＩ／Ｆ５３は、通常はリムーバブルメディア６０とＰＣの間のデータのやり取りをそのままバイパスする構成になっている。また、第１の実施形態と同様に、消去回路２１，電源回路としてのコンデンサ２２，スイッチ回路２３が設けられている。
【００４３】
コンデンサ２２は、端子群５２のＶｃｃ端子と接地端子との間に接続され、ＰＣに接続した状態で充電されるようになっている。消去回路２１は、通常のフラッシュメモリセル消去回路とは異なり、ＵＳＢメモリ６０の信号端子にフラッシュメモリセルの初期化信号を供給するようになっている。
【００４４】
スイッチ回路２３は、消去回路２１とコンデンサ２２との間に接続され、消去回路２１への電力供給をオン／オフするものである。スイッチ回路２３は、端子群５２がＰＣに接続された状態でオフとなり、ＰＣから外された状態ではオンとなる。但し、ＰＣから外された状態であっても、ユーザーが明示的に操作している間はオフとなるようしている。このスイッチ回路２３の具体的構成例として、前記図２に示す構成を用いることができる。
【００４５】
次に、本実施形態のリムーバブルメディア用コンバータの使用方法について説明する。
【００４６】
まず、通常のＵＳＢメモリ６０を本装置にセットし、これをデータ移送用リムーバブルメディアとして使用する。即ち、筐体５０に設けた端子群５１にＵＳＢメモリ６０の端子を接続する。
【００４７】
ＵＳＢメモリ６０を装着した状態で、端子群５２を第１のＰＣのＵＳＢ端子に挿入して接続すると、スイッチ回路２３はオフとなり、消去回路２１には電源は供給されない。この状態ではＩ／Ｆ５３はバイパス状態となりＵＳＢメモリ６０は通常通りに動作する。また、このとき、コンデンサ２２は充電される。この状態で、第１のＰＣ内の必要データを読み出し、ＵＳＢメモリ６０に書き込む。
【００４８】
次に、このままの状態で端子群５２を第１のＰＣのＵＳＢ端子から引き抜くと、スイッチ回路２３がオンとなり、コンデンサ２２に蓄えられた電荷により消去回路２１が駆動され、ＵＳＢメモリ６０に初期化信号が送出され、これによりＵＳＢメモリ６０に記憶されたデータが全て消去される。
【００４９】
ここで、ユーザーが筐体５０に設けられたスイッチ２３ｂを押圧した状態で引き抜くと、スイッチ回路２３がオフとなるため、消去回路２１に電源は供給されず、ＵＳＢメモリ６０の記憶データが消去されることはない。この状態を維持したまま、第２のＰＣのＵＳＢ端子に挿入すると、スイッチ２３ａがオフする。このため、ユーザーがスイッチ２３ｂの押圧を解除しても、消去回路２１に電源は供給されず、ＵＳＢメモリ６０の記憶データが消去されることはない。
【００５０】
この状態で、ＵＳＢメモリ６０に記憶されたデータを第２のＰＣ側にコピーする。コピーが終了したら、筐体５０を第２のＰＣから引き抜くことにより、スイッチ回路２３がオンとなり、消去回路２１に電源が供給され、ＵＳＢメモリ６０が全消去されることになる。即ち、データ移行が終了したら、ＵＳＢメモリ６０内のデータは自動的に消去されることになる。
【００５１】
このように本実施形態によれば、通常のＵＳＢメモリ６０を用いながら、データの移送という目的を達成した後にＵＳＢメモリ６０の記憶データを自動的に消去することができる。従って、データ移送という用途に限った場合には、メディア上にデータを残さないような運用が可能になり、情報漏洩の危険性が無くなる。
【００５２】
（変形例）
なお、本発明は上述した各実施形態に限定されるものではない。実施形態では、電源回路としてコンデンサを用いたが、必ずしもこれに限るものではない。電源回路としては、メモリセルやメモリコントローラに対して一定期間以上電源を供給できるものであれば良く、電池を使用することも可能である。
【００５３】
不揮発性記憶デバイスとしては、ＮＡＮＤ型フラッシュメモリセルに限らず、ＯＲ型フラッシュメモリセル、又はＮＯＲ型フラッシュメモリセルを用いることができる。また、強誘電体キャパシタを用いたＦｅＲＡＭ（Ferroelectric RAM）、磁気によってデータを記憶するＭＲＡＭ（Magnetic RAM）を用いることも可能である。さらに、揮発性記憶デバイスとしては、ＤＲＡＭに限らずＳＲＡＭを用いることも可能である。
【００５４】
また、スイッチ回路の構成は前記図２や図５に限るものではなく、仕様に応じて適宜変更可能である。さらに、スイッチ回路にタイマ機能を付与することも可能である。具体的には、第１，第３の実施形態では、ＰＣとの接続を切った一定時間後にオンし、消去回路を駆動するように構成すればよい。さらに、第２の実施形態では、ＰＣとの接続を切った一定時間後にオフし、メモリセルへの電源供給を停止するように構成すればよい。
【００５５】
また、実施形態ではＵＳＢメモリを例に取り説明したが、ＣＦカードやＳＤメモリカード、その他各種のリムーバブルメディアに適用することが可能である。要するに本発明は、その要旨を逸脱しない範囲で、種々変形して実施することができる。
【図面の簡単な説明】
【００５６】
【図１】第１の実施形態に係わるデータ移送用リムーバブルメディアの概略を示す回路構成図。
【図２】第１の実施形態に用いたスイッチ回路の具体例を示す回路構成図。
【図３】第１の実施形態に係わるデータ移送用リムーバブルメディアの外観構成を示す斜視図。
【図４】第２の実施形態に係わるデータ移送用リムーバブルメディアの概略を示す回路構成図。
【図５】第２の実施形態に用いたスイッチ回路の具体例を示す回路構成図。
【図６】第３の実施形態に係わるリムーバブルメディア用コンバータの概略を示す回路構成図。
【符号の説明】
【００５７】
１０…筐体
１１…フラッシュメモリセル（不揮発性記憶デバイス）
１２…メモリコントローラ
１３…端子群
２１…消去回路
２２…コンデンサ（電源回路）
２３…スイッチ回路
２３ａ…第１のスイッチ
２３ｂ…第２のスイッチ
３０…筐体
３１…ＤＲＡＭ（揮発性記憶デバイス）
３２…メモリコントローラ
３３…端子群
４３…スイッチ回路
４３ａ…第１のスイッチ
４３ｂ…第２のスイッチ
５０…筐体
５１，５２…端子群
５３…インターフェイス回路
６０…ＵＳＢメモリ
【図１】
2009003785.tif 000003
【図２】
2009003785.tif 000004
【図３】
2009003785.tif 000005
【図４】
2009003785.tif 000006
【図５】
2009003785.tif 000007
【図６】
2009003785.tif 000008